(57)【要約】【課題】ひげぜんまいの平面からのズレを最低限に調整可能なひげぜんまい支持構造、これを備えたてんぷ構造体及び機械式時計の提供【解決手段】機械式時計のひげぜんまい支持構造３は、ひげ持４０をひげ持受３０に対して上下方向Ｄ１，Ｄ２に変位させるひげ持高さ位置調整機構５０を備える。ひげ持４０は、ひげ持受３０の穴３３に挿通された軸部４１と円板状フランジ部４２とを有し、ひげ持高さ位置調整機構は、ひげ持受３０に嵌合された調整用軸部５１と、その一端側で該調整用軸部に対して偏心した基準円錐台状面５６を備えた調整体本体部５２とを具備するひげ持高さ位置調整体を有し、ひげ持高さ位置調整体が調整用軸部５１の中心軸線Ｃのまわりで回された際、調整体本体部５２が基準円錐台状面５６でひげ持４０の円板状フランジ部４２の一端縁４６を押して、ひげ持４０をひげ持受３０に対し上方又は下方Ｄ１に変位させる。【選択図】図２
2010181238.tif 000002
【特許請求の範囲】
【請求項１】
ひげぜんまいの外周端部が固定されたひげ持を、渦巻状ひげぜんまいが拡がった面に対して交差する方向に、ひげ持受に対して変位させるひげ持高さ位置調整機構を備えたひげぜんまい支持構造であって、
ひげ持が、ひげ持受の挿通穴に挿通された軸部と、該軸部の該挿通穴から突出した一端側に形成された円板状フランジ部とを有し、
前記ひげ持高さ位置調整機構が、ひげ持の軸部と平行でひげ持受に嵌合された調整用軸部と、該調整用軸部の一端側において該調整用軸部に対して偏心した基準円錐台状面を備え該調整用軸部に固定された調整体本体部とを具備するひげ持高さ位置調整体を有し、
ひげ持高さ位置調整体が調整用軸部の中心軸線のまわりで回された際、調整体本体部が基準円錐台状面でひげ持の円板状フランジ部の一端縁を押して、ひげ持をひげ持受に対してその軸部の延在方向の一方の向きに変位させるように構成された
ひげぜんまい支持構造。
【請求項２】
ひげ持高さ位置調整体が、端面に、ドライバ係合溝を備える請求項１に記載のひげぜんまい支持構造。
【請求項３】
ひげ持の円板状フランジ部の他端縁に係合して、ひげ持をひげ持受に対してその軸部の延在方向の他方の向きに変位させるひげ持高さ位置戻し部を更に備える請求項１又は２に記載のひげぜんまい支持構造。
【請求項４】
ひげ持高さ位置戻し部が、前記調整用軸部の他端側において該調整用軸部に対して偏心した戻し円錐台状面を備え該調整用軸部に固定された戻し体からなる請求項３に記載のひげぜんまい支持構造。
【請求項５】
ひげ持高さ位置戻し部が、ひげ持の軸部と平行でひげ持受に嵌合された戻し体用軸部と、該戻し体用軸部の一端側において該戻し体用軸部に対して偏心した戻し基準円錐台状面を備え該戻し体用軸部に固定された戻し体本体部とを有する請求項３に記載のひげぜんまい支持構造。
【請求項６】
請求項１から５までのいずれか一つの項に記載のひげぜんまい支持構造体を備えたてんぷ構造体。
【請求項７】
請求項６に記載のてんぷ構造体を備えた機械式時計。
【発明の詳細な説明】
【技術分野】
【０００１】
機械式時計のひげぜんまい支持構造に係り、より詳しくは、ひげぜんまい支持構造、該支持構造を備えたてんぷ構造体及び該構造体を備えた機械式時計に係る。
【０００２】
なお、この明細書において、てん真の延在方向を上下方向ないし高さ方向と呼ぶ。また、以下では、通常通り、てんぷ上軸受の位置する側を上方（上）と呼び、てんぷ下軸受の位置する側を下方（下）と呼ぶ。
【背景技術】
【０００３】
機械式時計では、通常、渦巻状ひげぜんまいの外終端部が、ひげ持に固定されている。ひげ持は、ひげ持受のひげ持挿通孔に圧入され嵌着されたり、該挿通孔に挿入されて止めネジで固定される（例えば、特許文献１）。
【０００４】
いずれの場合でも、ひげ持受の孔内におけるひげ持の位置（この明細書では、ひげ持受の孔の延在方向を「上下方向」又は「高さ方向」とみなし、（ひげ持の）位置を「（ひげ持の）高さ方向位置」という）の調整が容易でない。ひげ持の高さ方向位置がずれると、内周端部がひげ玉で支持された渦巻状ひげぜんまいが一平面内に配置されず捩れてしまい（ひげぜんまいが平面からズレてしまい）、ひげぜんまいの渦巻きばねとしての性能が損なわれ、姿勢によって歩度が変化する。
【０００５】
なお、特許文献１では、ネジとばねとによってひげ持の高さ方向位置を調整することが提案されている。
【０００６】
しかしながら、腕時計（ウオッチ）のような小型の機械式時計において、ひげ持のところに、提案のようなばね構造を組み込むことは、現時点においても、容易ではなく、現実的ではない。
【先行技術文献】
【特許文献】
【０００７】
【特許文献１】実公昭４５−１０７１号公報
【発明の概要】
【発明が解決しようとする課題】
【０００８】
本発明は、前記した点に鑑みなされたものであって、その目的とするところは、腕時計のような小さい機械式時計においてもひげぜんまいの平面からのズレを最低限に調整可能なひげぜんまい支持構造、該支持構造を備えたてんぷ構造体及び該構造体を備えた機械式時計を提供することにある。
【課題を解決するための手段】
【０００９】
本発明のひげぜんまい支持構造は、前記目的を達成すべく、ひげぜんまいの外周端部が固定されたひげ持を、渦巻状ひげぜんまいが拡がった面に対して交差する方向に、ひげ持受に対して変位させるひげ持高さ位置調整機構を備えたひげぜんまい支持構造であって、ひげ持が、ひげ持受の挿通穴に挿通された軸部と、該軸部の該挿通穴から突出した一端側に形成された円板状フランジ部とを有し、前記ひげ持高さ位置調整機構が、ひげ持の軸部と平行でひげ持受に嵌合された調整用軸部と、該調整用軸部の一端側において該調整用軸部に対して偏心した基準円錐台状面を備え該調整用軸部に固定された調整体本体部とを具備するひげ持高さ位置調整体を有し、ひげ持高さ位置調整体が調整用軸部の中心軸線のまわりで回された際、調整体本体部が基準円錐台状面でひげ持の円板状フランジ部の一端縁を押して、ひげ持をひげ持受に対してその軸部の延在方向の一方の向きに変位させるように構成されている。
【００１０】
本発明のひげぜんまい支持構造では、「ひげ持が、ひげ持受の挿通穴に挿通された軸部と、該軸部の該挿通穴から突出した一端側に形成された円板状フランジ部とを有し、前記ひげ持高さ位置調整機構が、ひげ持の軸部と平行でひげ持受に嵌合された調整用軸部と、該調整用軸部の一端側において該調整用軸部に対して偏心した基準円錐台状面を備え該調整用軸部に固定された調整体本体部とを具備するひげ持高さ位置調整体を有する」ので、「ひげ持高さ位置調整体が調整用軸部の中心軸線のまわりで回された際、調整体本体部が基準円錐台状面でひげ持の円板状フランジ部の一端縁を押して、ひげ持をひげ持受に対してその軸部の延在方向の一方の向きに変位させるように構成」し得る。また、本発明のひげぜんまい支持構造では、「ひげ持高さ位置調整体が調整用軸部の中心軸線のまわりで回された際、調整体本体部が基準円錐台状面でひげ持の円板状フランジ部の一端縁を押して、ひげ持をひげ持受に対してその軸部の延在方向の一方の向きに変位させるように構成」されているので、ひげ持高さ位置調整体が調整用軸部の中心軸線のまわりで回すだけで、調整体本体部が基準円錐台状面でひげ持の円板状フランジ部の一端縁を押して、ひげ持をひげ持受に対してその軸部の延在方向の一方の向きに変位させ、ひげ持受に対するひげ持の高さ位置を調整して、ひげぜんまいを、その渦巻きが一平面内に位置するように調整し得る。従って、本発明の本発明のひげぜんまい支持構造では、ひげぜんまいの平面からのズレを最低限に調整可能である。
【００１１】
ここで、本発明のひげぜんまい支持構造では、「ひげ持が、ひげ持受の挿通穴に挿通された軸部と、該軸部の該挿通穴から突出した一端側に形成された円板状フランジ部とを有し、前記ひげ持高さ位置調整機構が、ひげ持の軸部と平行でひげ持受に嵌合された調整用軸部と、該調整用軸部の一端側において該調整用軸部に対して偏心した基準円錐台状面を備え該調整用軸部に固定された調整体本体部とを備えたひげ持高さ位置調整体を有する」ので、ひげ持の円板状フランジ部やひげ持高さ位置調整機構の該調整用軸部や調整体本体部が実際上剛体で形成され得るから、腕時計のような小さい機械式時計においても容易に実現され得る。すなわち、本発明のひげぜんまい支持構造では、ひげ持高さ位置調整機構として「ひげ持の軸部と平行でひげ持受に嵌合された調整用軸部と、該調整用軸部の一端側において該調整用軸部に対して偏心した基準円錐台状面を備え該調整用軸部に固定された調整体本体部とを備えたひげ持高さ位置調整体」を設けるだけで、ひげ持の高さ位置を調整し得る。また、このひげ持高さ位置調整体の調整体本体部は調整用軸部に対して偏心した基準円錐台状面を備えるから、ひげ持高さ位置調整体をまわすと、ひげ持の高さを連続的に調整し得る。
【００１２】
本発明のひげぜんまい支持構造では、典型的には、ひげ持高さ位置調整体が、端面に、ドライバ係合溝を備える。
【００１３】
その場合、ドライバ係合溝にドライバの先端を係合させて、ドライバを回すだけで、高さ位置を調整し得る。
【００１４】
本発明のひげぜんまい支持構造では、典型的には、ひげ持の円板状フランジ部の他端縁に係合して、ひげ持をひげ持受に対してその軸部の延在方向の他方の向きに変位させるひげ持高さ位置戻し部を更に備える。
【００１５】
その場合、ひげ持受に対するひげ持の高さ位置を戻し得、高さ位置の再調整が可能になる。なお、典型的には、調整体本体部によってひげ持の高さ位置を規定することが好ましいけれども、所望ならば、高さ位置を戻す際に規定されたひげ持の位置をそのまま調整位置として利用してもよい。その場合、戻し部が高さ位置の調整体として機能する。
【００１６】
本発明のひげぜんまい支持構造では、例えば、ひげ持高さ位置戻し部が、前記調整用軸部の他端側において該調整用軸部に対して偏心した戻し円錐台状面を備え該調整用軸部に固定された戻し体からなる。
【００１７】
その場合、調整用軸をまわして、戻し体をまわすことにより、ひげ持をひげ持受に対して高さ方向逆向き（戻し方向）に変位させ得る。なお、この場合、当然ながら、戻し体の偏心の向きは、調整体本体部の偏心の向きとは異なり、典型的には、直径方向に対向する方向である。また、この場合、戻し体の戻し円錐台状面と調整体本体部の基準円錐台状面との高さ方向間隔（距離）が、少なくとも、ひげ持の円板状フランジ部の厚さ以上になるように、予め設定される。なお、この場合、戻し体は剛体からなればよいので、実現が容易である。
【００１８】
また、本発明のひげぜんまい支持構造では、例えば、ひげ持高さ位置戻し部が、ひげ持の軸部と平行でひげ持受に嵌合された戻し体用軸部と、該戻し体用軸部の一端側において該戻し体用軸部に対して偏心した戻し基準円錐台状面を備え該戻し体用軸部に固定された戻し体本体部とを有する。なお、この場合、戻し体本体部は、剛体からなればよいので、実現が容易である。
【００１９】
その場合、戻し体用軸部をまわして、戻し体本体部をまわすだけで、ひげ持をひげ持受に対して高さ方向逆向き（戻し方向）に変位させ得る。
【００２０】
本発明のてんぷ構造体は、上述のようなひげぜんまい支持構造を備える。この場合、てんぷ構造体の振動数の変動やゆらぎが最低限に抑えられ得る。
【００２１】
本発明の機械式時計では、上述のようなてんぷ構造体を備える。この場合、機械式時計の姿勢が歩度に与える影響が最低限に抑えられ得る。
【図面の簡単な説明】
【００２２】
【図１】本発明の好ましい一実施例のひげぜんまい支持構造を備えた本発明の好ましい一実施例のてんぷ構造体の斜視説明図。
【図２】図１のてんぷ構造体のひげぜんまい支持構造を示したもので、（ａ）は平面説明図、（ｂ）は（ａ）の矢印ＩＩＢ方向に見た側面説明図、（ｃ）は斜視説明図。
【図３】図２のひげぜんまい支持構造のうち、ひげ持の円板状フランジ部と係合されてひげ持の高さ位置を調整するひげ持高さ位置調整機構を示したもので、（ａ）は平面説明図、（ｂ）は側面説明図、（ｃ）は底面説明図、（ｄ）は斜視説明図。
【図４】変形例のひげぜんまい支持構造を示したもので、（ａ）は平面説明図、（ｂ）は（ａ）の矢印ＶＩＢ方向に見た側面説明図、（ｃ）は斜視説明図。
【図５】別の変形例のひげぜんまい支持構造を示したもので、（ａ）は平面説明図、（ｂ）は（ａ）の矢印ＶＢ方向に見た側面説明図、（ｃ）は斜視説明図。
【発明を実施するための形態】
【００２３】
本発明の好ましい一実施の形態を添付図面に示した好ましい一実施例に基づいて説明する。
【実施例】
【００２４】
図１には、機械式腕時計１のケース８内においててんぷ受１１で地板（図示せず）のような支持基板に取付けられるてんぷ構造体２が示され、図２には、ひげ持受３０、ひげ持４０及びひげ持高さ調整ピン５０を備えたひげぜんまい支持構造３が示されている。
【００２５】
てんぷ構造体２は、てん真１２に固定されたてん輪１３や渦巻状ばねの形態のひげぜんまい２０を有し、ひげぜんまい２０は、てん真１２に固定されたひげ玉（図示せず）に内周端で固定され、ひげ持受３０に支持されたひげ持４０に外終端で固定されている。ひげぜんまい２０は、緩急針体１５に支持されたひげ棒１６に外周端部近傍で係合されている。
【００２６】
てん真は、上端側で制振軸受の形態のてんぷ上軸受１４に回転自在に支持され、下端側で上軸受１４と同様な構造を有し地板（図示せず）のような支持基板に取付けられたてんぷ下軸受（図示せず）に回転自在に支持されている。
【００２７】
緩急針体１５は、基端側でてんぷ上軸受１４の外枠に相対回動可能に嵌合され、該基端側のフォーク状の緩急針尾部１５ａで偏心微動レバー１７に係合していて、該微動レバー１７を回動させることにより、緩急針体１５の回動位置が調整されて、ひげぜんまい２０に対するひげ棒１６の係合位置が調整され、ひげぜんまい２０の実効長が調整される。１６ａは、ひげ棒１６をまわすひげ棒レバーであり、１６ｂはひげ棒１５と協働してひげぜんまいの外側係合位置を規定するひげ受である。
【００２８】
ひげ持受３０は、細長い板状の本体部３１と、該本体部３１の一端に連続的に形成されたＣリング状の係合端部３２とを備え、該リング状係合端部３２においててんぷ上軸受１４の外枠に中心軸線Ａのまわりで回動可能に嵌合されている。ひげ持受３０の本体部すなわちひげ持受本体部３１は、他端側に、ひげ持軸挿通孔部３３と、高さ調整ピン挿通孔部３４とを備える。
【００２９】
ひげ持４０は、ひげ持受３０のひげ持軸挿通孔部３３に挿通された軸部４１と軸部４１の基端側においてひげ持受３０の上面３５から間隔をおいて位置する円板状フランジ部４２とを有する。ひげ持４０の軸部すなわちひげ持軸部４１は、ひげ持軸挿通孔部３３から回動可能に突出した突出端部４３に、ひげぜんまい２０の外周端部が固着されたひげぜんまい固着部４４を備える。ひげ持受３０は、更に、ひげ持軸挿通孔部３３に直交し該孔部３３で開口したねじ孔を備え、該ねじ孔にはひげ持ネジ３６が取付けられている。ネジ３６を緩めた状態では、ひげ持受３０の上面３５とひげ持４０のフランジ部４２の下面４２ａとの間隔ないし距離Ｇは、調整可能である。
【００３０】
高さ調整ピン５０は、図１及び図２に加えて、特に、図３に拡大して示したように、調整用軸部としての第一軸部５１と、調整体本体部としての第一の偏心円錐台状部５２と、第二軸部５３と、戻し体としての第二の偏心円錐台状部５４とを有する。第二の偏心円錐台状部５４の頂面には、ドライバの先端が係合され得るドライバ溝５５が中心軸線Ｃａを中心とする直径に沿うように形成されている。第一及び第二の偏心円錐台状部５２，５４は、いずれも、その小径端部側で第二軸部５３に連続的につながっている。
【００３１】
この例では、ひげ持高さ位置調整体は、第一軸部５１と第一の偏心円錐台状部５２と第二軸部５３とからなる。また、ひげ持高さ位置調整機構も第一軸部５１と第一の偏心円錐台状部５２と第二軸部５３とからなる。また、ひげぜんまい支持構造３は、以上のようなひげ持高さ位置調整機構ないしひげ持高さ位置調整体、ひげ持４０及びこれらを支えるひげ持受３０からなる。
【００３２】
第一軸部５１及び第二軸部５３は、いずれも、中心軸線Ｃａを中心とする円柱状である。第一軸部５１は、高さ調整ピン挿通孔部３４に丁度嵌合されて、該高さ調整ピン挿通孔部３４の中心軸線Ｃのまわりで回動ないし回転され得る。すなわち、高さ調整ピン５０は、その中心軸線Ｃａが中心軸線Ｃに一致する状態で、該中心軸線Ｃに一致する中心軸線Ｃａのまわりで回転ないし回動可能である。なお、場合によっては、第二軸部５３はなくてもよい。
【００３３】
第一円錐台状部５２は、中心軸線Ｃａに対してＢ１方向に大きさΔＥだけずれた中心軸線Ｃ１を中心とする円錐台の形態であり、第二円錐台状部５４は、中心軸線Ｃａに対してＢ１方向とは反対方向Ｂ２（すなわち−Ｂ１方向）に大きさΔＥだけずれた中心軸線Ｃ２を中心とする円錐台の形態である。
【００３４】
より詳しくは、第一及び第二円錐台状部５２，５４の偏心の大きさΔＥ及び円錐台の形状は、中心軸線ＣないしＣａのまわりでの高さ調整ピン５０の回動位置（回転位置）にかかわらず、第一円錐台状部５２の円錐台状面５６がひげ持４０のフランジ部４２の下端縁４６に当接ないし係合した際、第二円錐台状部５４の円錐台状面５７がひげ持４０のフランジ部４２の上端縁４７とほぼ当接するか該上端縁４７から離れた状態になるように、設定されている。
【００３５】
なお、第一及び第二円錐台状部５２，５４の円錐台の基部の半径Ｒ１（典型的には同一であるとする）や円板状フランジ部４２の半径Ｒ２と比較して偏心の大きさΔＥが小さくΔＥ／Ｒ１＜＜１で且つΔＥ／Ｒ２＜＜１の場合であって、且つ円錐台の母線の傾斜が３０〜６０度程度（典型的には４５度程度）である場合、高さ調整ピン５０が中心軸線ＣａないしＣのまわりである回転位置を取る際に、円錐台状部５２の円錐台状面５６がフランジ部４２の下端縁４６に当接し且つ円錐台状部５４の円錐台状面５７がフランジ部４２の上端縁４７に当接するとすると、中心軸線ＣａないしＣのまわりにおける高さ調整ピン５０の回転ないし回動位置にかかわらず、円錐台状部５２の円錐台状面５６がフランジ部４２の下端縁４６に当接し且つ円錐台状部５４の円錐台状面５７がフランジ部４２の上端縁４７に当接する状態に保たれ得る。従って、多少の変動を考慮して、中心軸線Ｃ，Ｃａの延在方向における円錐台状面５６，５７間の間隔をひげ持４０のフランジ部４２の厚さよりも僅かに大きめにおけばよい。但し、安全をみて、この間隔を十分大きく採っておいても良い。
【００３６】
以下では、間隔がある程度大きく採ってあるとして説明する。
【００３７】
ひげ持４０のフランジ部４２が高さ調整ピン５０の第一及び第二の円錐台状部５２，５４の間に位置する状態で、第一の円錐台状部５２の中心Ｃ１がひげ持４０のフランジ部４２に近づく向きに高さ調整ピン５０をまわすと、ひげ持４０のフランジ部４２の下縁部４６に対面する円錐台状面５６が徐々に上向きすなわちＤ１方向に移動するから、該円錐台状面５６にフランジ部４２の下縁部４６で係合するひげ持４０がＤ１方向に連続的に変位される。従って、ひげ持４０の下端固定部４４に外周端部で取付けられたひげぜんまい２０は、該外周端部の位置がＤ１方向に変位された状態に変動した姿勢を採り、仮に、該外周端部がＤ２方向（−Ｄ１方向）にずれた位置あった場合、高さ調整ピン５０の回転により、そのズレが徐々に連続的に調整され得る。その結果、ひげぜんまい２０が一平面内において渦巻状形態を採り得るから、姿勢による歩度の変化が最低限に抑えられ得る。ここで、高さ調整ピン５０の回転は、ドライバ溝５５にドライバ等の先端を係合させて回すことにより行う。この場合、剛体である高さ調整ピン５０を設けるだけで、ひげ持４０の高さ位置を連続的に調整し得る。
【００３８】
なお、図３に示した位置が始点になる場合には、高さ調整ピン５０をどちらの方向に回しても、第一円錐台状部５２でひげ持４０のフランジ部４２を介してひげ持４０の全体をＤ１方向に変位させ得る。
【００３９】
一方、ひげ持４０を逆に−Ｄ１方向すなわちＤ２方向に戻したい場合、ひげ持４０をＤ１方向に持ち上げる際に回転させたのと逆向きに高さ調整ピン５０を回転させると、戻し体として働く第二の円錐台状部５４が円錐台状面５７でひげ持４０のフランジ部４２の上縁部４７に係合して、ひげ持４０をＤ２方向に押下げ得る。この場合、高さ調整ピン５０は、上向きＤ１の力を受けるので該ピン５０がＤ１方向に持ち上がるのを避けるべく、ドライバでピン５０にＤ２方向の押下げ力を加える。なお、ピン５０がひげ持受３０に対してＤ１方向に変位されるのを禁止すべく、ピン５０の第一軸部５１をひげ持受３０の下端から突出させ該突出端を大径にしておいてもよい。
【００４０】
ひげ持４０が所望の高さ位置（Ｄ１，Ｄ２方向位置）に設定されると、ひげ持ネジ３６が締められてひげ持４０が固定される。
【００４１】
円錐台状部５２は、その半周が機能すれば足りるので、例えば、図３の（ａ）において、想像線Ｆよりも外側の部分５２Ｆはなくてもよい。図４のひげぜんまい支持構造３Ａにおいて、図２のひげぜんまい支持構造３と概ね同様であるけれども異なる点を有する部分や要素については、参照符号の最後に添字Ａが付され、同一の部分や要素には同一の符号が付されている。
【００４２】
このひげぜんまい支持構造３Ａでは、高さ調整ピン５０Ａが、調整体本体部として、第一の円錐台状部５２の代わりに切断面Ｆで切断された形態の第一の偏心円錐台状部５２Ａを備え、該第一の円錐台状部５２Ａが、円錐台状面５６の代わりに切断面Ｆで切断された形態の部分円錐台状面５６Ａを有する点を除いて、図２のひげぜんまい支持構造３と同様に構成されている。
【００４３】
このひげぜんまい支持構造３Ａは、図２のひげぜんまい支持構造３と同様に機能し得る。
【００４４】
高さ調整ピン５０，５０Ａが、調整体本体部として働く第一の円錐台状部５２，５２Ａと戻し体として働く第二の円錐台状部５４との両方を備える代わりに、高さ調整ピン５０Ｂが調整体として働く第一の円錐台状部５２Ｂのみを備え、戻し体として働く第二の円錐台状部５４Ｂを別のピン６０が備えるようにしてもよい。
【００４５】
この例では、ひげ持高さ位置調整体は、第一軸部５１と第一の偏心円錐台状部５２Ａと第二軸部５３とからなる。また、ひげ持高さ位置調整機構も第一軸部５１と第一の偏心円錐台状部５２Ａと第二軸部５３とからなる。また、ひげぜんまい支持構造３Ａは、以上のようなひげ持高さ位置調整機構ないしひげ持高さ位置調整体、ひげ持４０及びこれらを支えるひげ持受３０からなる。
【００４６】
図５のひげぜんまい支持構造３Ｂにおいて、図２や図４のひげぜんまい支持構造３，３Ａと概ね同様であるけれども異なる点を有する部分や要素については、参照符号の最後に添字Ｂが付され、同一の部分や要素には同一の符号が付されている。
【００４７】
ひげぜんまい支持構造３Ｂでは、高さ調整ピン５０Ｂは、第二の円錐台状部を欠く点、およびドライバ溝５５Ｂを第二軸部５３Ｂの頂面に備える点及び第二軸部５３Ｂが大径になっている点を除いて、第一の円錐台状部５２と同様に構成されている。
【００４８】
戻し体として働く第二円錐台状部５４Ｂを備えた戻しピン６０は、第一の円錐台状部５２の代わりに大径円柱状部６２を備える点を除いて、高さ調整ピン５０と実際上同様に構成される。すなわち、戻しピン６０は、第一軸部ないし第一円柱状部５１と同様な第一軸部ないし第一円柱状部６１、第二軸部ないし第二円柱状部５３と同様な第二軸部ないし第二円柱状部６３、及び第二円錐台状部５４と同様な第二円錐台状部５４Ｂを備える。戻しピン６０の第一円柱状部６１は、高さ調整ピン５０Ｂの第一円柱状部５１と同様に、ひげ持受３０の本体部３１に形成された孔部３４と同様な孔部３４Ｂに回転可能に嵌合されている。
【００４９】
このひげぜんまい支持構造３Ｂでは、戻しピン６０の第二円錐台状部５４Ｂの円錐台状面５７Ｂがひげ持４０のフランジ部４２の上縁部４７から十分に離間する回転位置に設定された状態で、高さ調整ピン５０Ｂをまわすことにより、該高さ調整ピン５０Ｂの第一円錐台状部５２の円錐台状面５６でひげ持４０のフランジ部４２の下端縁４６をＤ１方向に押し上げて、ひげ持４０の高さ位置を調整し得る。
【００５０】
一方、ひげ持４０が十分に高い位置に移動した状態では、高さ調整ピン５０Ｂの第一円錐台状部５２ひげ持４０のフランジ部４２の下縁部４６から十分に離間する回転位置に設定された状態で、戻しピン６０をまわすことにより、該戻しピン６０の第二円錐台状部５４Ｂの円錐台状面５７でひげ持４０のフランジ部４２の上端縁４７をＤ２方向に押し下げて、ひげ持４０を下に戻し得る。
【００５１】
この例では、ひげ持高さ位置調整体は、第一軸部５１と第一の偏心円錐台状部５２と第二軸部５３Ｂとからなる。また、ひげ持高さ位置調整機構も第一軸部５１と第一の偏心円錐台状部５２と第二軸部５３Ｂとからなる。また、ひげぜんまい支持構造３Ａは、以上のようなひげ持高さ位置調整機構ないしひげ持高さ位置調整体、ひげ持４０及びこれらを支えるひげ持受３０からなる。戻し体は、戻しピン６０からなる。
【符号の説明】
【００５２】
１  機械式時計
２  てんぷ構造体
３，３Ａ，３Ｂ  ひげぜんまい支持構造
８  ケース
１１  てんぷ受
１２  てん真
１３  てん輪
１４  てんぷ上軸受
１５  緩急針体
１５ａ  緩急針尾部
１６  ひげ棒
１６ａ  ひげ棒レバー
１６ｂ  ひげ受
１７  微動レバー
２０  ひげぜんまい
３０  ひげ持受
３１  本体部
３２  Ｃリング状係合端部
３３  ひげ持軸挿通孔部
３４，３４Ｂ  高さ調整ピン挿通孔部
３５  上面
３６  ひげ持ネジ
４０  ひげ持
４１  軸部
４２  円板状フランジ部
４２ａ  下面
４３  突出端部
４４  ひげぜんまい固着部
４６  下端縁
４７  上端縁
５０，５０Ａ，５０Ｂ  高さ調整ピン
５１  第一軸部
５２，５２Ａ  第一偏心円錐台状部（調整体本体部）
５３，５３Ｂ  第二軸部
５４，５４Ｂ  第二偏心円錐台状部（戻し体）
５５，５５Ｂ  ドライバ溝
５６，５６Ａ，５７  円錐台状面
６０  戻しピン
６１  第一円柱状部
６２  大径円柱状部
６３  第二円柱状部
Ａ，Ｃ，Ｃａ，Ｃ１，Ｃ２  中心軸線
Ｂ１，Ｂ２  （偏心）方向
Ｄ１，Ｄ２  高さ方向
Ｆ  切断面
Ｇ  距離（間隔）
Ｒ１，Ｒ２  半径
ΔＥ  偏心の大きさ
【図１】
2010181238.tif 000003
【図２】
2010181238.tif 000004
【図３】
2010181238.tif 000005
【図４】
2010181238.tif 000006
【図５】
2010181238.tif 000007